(57)【要約】【課題】紙清掃ブラシを備えたシュレッダーの提供。【解決手段】本考案によるシュレッダーは、ハウジングの紙吐き出し口に一つ以上のブラシを設け、該ブラシはカッター軸に延ばして刷毛を設ける。ブラシ全体はカッター軸の軸方向に往復摺動することにより、利用者はブラシをかき分けて、２本のカッター軸に挟まれた寸断紙屑を清掃でき、シュレッダー２本のカッター軸間に挟まれた多くの寸断紙屑清掃が難しいため、書類寸断操作による影響を効果的に解決する。【選択図】図１
0003125892.tif 000002
【実用新案登録請求の範囲】
【請求項１】
カッターアセンブリ、カッターアセンブリを覆うハウジング、および寸断された紙切れを集めるための紙屑籠より構成し、そのうち、該ハウジングの紙吐き出し口にカッター軸に沿って軸方向に往復摺動するブラシを設け、該ブラシはカッター軸に延ばす刷毛を設け、利用者はブラシをかき分けることにより、２本のカッター軸の間に挟まれた寸断紙屑を清掃する、一種の紙清掃ブラシを備えたシュレッダー。
【請求項２】
該ハウジングに備える紙吐き出し口の周りに滑り溝を設け、該ブラシは滑り溝に取り付けることを特徴とする請求項１記載の紙清掃ブラシを備えたシュレッダー。
【考案の詳細な説明】
【技術分野】
【０００１】
本考案はシュレッダー、特に一種のハウジングに備える紙吐き出し口にブラシを設けることにより、利用者はブラシをかき分けて、２本のカッター軸間に挟まれた寸断紙屑を清掃し、公知技術のシュレッダー２本のカッター軸間に挟まれた多くの寸断紙屑清掃が難しいため、書類寸断操作による影響を効果的に解決する。
【背景技術】
【０００２】
周知のとおり、書類を寸断するシュレッダーの動作原理は、複数のカッター（ｃｕｔｔｉｎｇ  ｂｌａｄｅｓ）をスペーサー（ｓｐａｃｅｒｓ）と合せて回転シャフト（ｒｏｔａｒｙ  ｓｈａｆｔｓ）に穿設、モーターと歯車装置（ｍｏｔｏｒ  ａｎｄ  ｇｅａｒｂｏｘ）により、該二つの平行、かつ、向かい合わせた回転するカッターシャフトより、通過する紙を細い片状に寸断する。シュレッダーは機械寸断のパターンにより、片状シュレッダー（ｓｔｒｉｐ−ｃｕｔ  ｓｈｒｅｄｄｅｒｓ）と粉砕式シュレッダー（ｃｒｏｓｓ−ｃｕｔ  ｓｈｒｅｄｄｅｒｓ）の２種類に分ける。前者はカッターを回転カッターホイルに配列し、紙を縦方向に長い片状を寸断する。後者はカッターに一つ以上の鉤状カッターを設け、カッターは回転カッターホイルにおいて、らせん状に配列し、紙を縦方向に片状を寸断した後、さらに横方向に約４ ｍｍ Ｘ ４０ｍｍの粉砕紙片を再カットする。販売するとき、前記の片状シュレッダーまたは粉砕式シュレッダーとも、屑紙を集めるための紙屑籠（ｂａｓｋｅｔ  ｏｒ  ｂｉｎ）を標準に添付されている。
【０００３】
販売するとき、前記の片状シュレッダーまたは粉砕式シュレッダーとも、屑紙を集めるための屑籠（ｂａｓｋｅｔ  ｏｒ  ｂｉｎ）を標準に添付されている。すなわち、市販のシュレッダーは主に、カッターアセンブリ、ハウジング、および紙屑籠などの構成要素より構成する。一方、前述したとおり、シュレッダーのカッターアセンブリは主に、モーターと歯車装置により、平行し向かい合わせた２本の回転カッター軸に通過する紙に対し、剪断力でもって細い片状に寸断する。この目的を達成するため、公知技術のシュレッダーは、そのハウジングのすぐ上下部にカッター軸と平行して、紙仕込み口と紙吐き出し口をそれぞれ設ける。また、紙仕込み口と紙吐き出し口の取付場所は２本のカッター軸の間に設け、紙仕込み口より挿入された紙を２本のカッター軸の間にそのまま仕込んだ後、カッター軸によって寸断された紙片は紙屑籠に落ちて行く。
【０００４】
実務上、カッター軸によって寸断された紙片は重力により紙屑籠に落ちる。しかしながら、一部の紙切れは２本のカッター軸の間に挟まれる。時間経過後、堆積した紙切れはカッターと紙との接触を妨害し、書類寸断操作の順調性に影響する。このため、２本のカッター軸の間に溜まった紙切れは、適宜に清掃しなければならない。通常は、シュレッダーの電源をオフにしてから、２本のカッター軸の間に挟まれた寸断紙屑を指で摘み出す。しかしながら、清掃過程で指をけがする恐れがある。
【考案の開示】
【考案が解決しようとする課題】
【０００５】
利用者は一種のブラシを適宜にかき分けて、２本のカッター軸の間に堆積された紙切れを清掃することにより、公知技術のシュレッダーの２本カッター軸間に堆積された紙切れの清掃が難しいため、書類寸断操作の妨害を有効に解決するシュレッダーを提供することを本考案の主な目的とする。
【０００６】
本考案によるシュレッダーは、ハウジングの紙吐き出し口に一つ以上のブラシを設け、該ブラシはカッター軸に延ばして刷毛を設ける。ブラシ全体はカッター軸に追随して往復摺動することにより、利用者はブラシをかき分けて、二つのカッター軸に挟まれた寸断紙屑を掃除でき、シュレッダー二つのカッター軸間に挟まれた多くの寸断紙屑清掃が難しいため、書類寸断操作による影響を効果的に解決する。
【課題を解決するための手段】
【０００７】
請求項１の考案は、カッターアセンブリ、カッターアセンブリを覆うハウジング、および寸断された紙切れを集めるための紙屑籠より構成する、そのうち、該ハウジングの紙吐き出し口にカッター軸に沿って軸方向に往復摺動するブラシを設け、該ブラシはカッター軸に延ばす刷毛を設ける、利用者はブラシをかき分けることにより、２本のカッター軸の間に挟まれた寸断紙屑を清掃する、一種の紙清掃ブラシを備えたシュレッダーしている。
請求項２の考案は、該ハウジングに備える紙吐き出し口の周りに滑り溝を設け、該ブラシは滑り溝に取り付けることを特徴とする請求項１記載の紙清掃ブラシを備えたシュレッダーとしている。
【考案の効果】
【０００８】
本考案は紙清掃ブラシを備えたシュレッダー、利用者は一種のブラシを適宜にかき分けて、２本のカッター軸の間に堆積された紙切れを清掃することにより、公知技術のシュレッダーの２本カッター軸の間に堆積された紙切れの清掃が難しいため、書類寸断操作の妨害を有効に解決するシュレッダーを提供する。
【考案を実施するための最良の形態】
【０００９】
図１に示すものは、本考案によるシュレッダー底部外面の立体概略図で、図２に示すものは、本考案によるブラシの配置構造断面図であり、図３に示すものは、本考案によるブラシの稼働概略図である。
【００１０】
図示のとおり、シュレッダー１は主に一組のカッターアセンブリ１１、カッターアセンブリを覆うハウジング１２、および寸断された寸断紙屑を集める紙屑籠１３より構成する。そのうち、カッターアセンブリ１１は主に、モーターと歯車装置により、平行し、かつ、向かい合わせて回転するカッター軸１１１を駆動し、通過する紙は剪断力でもって細い片状に寸断する。または、細い片状の紙切れをさらに寸断する。ハウジング１２はカッターアセンブリ１１を覆い、その上下部はカッター軸１１１に平行して、紙仕込み口と紙吐き出し口１２１をそれぞれ設けて、紙をカッターアセンブリ１１に備える二つのカッター軸１１１の間に確実に挿入し、寸断された紙切れは紙吐き出し口１２１より紙屑籠１３に落とす。
【００１１】
本考案は主に、シュレッダー１のハウジング１２に備える紙吐き出し口１２１に一つ以上のブラシ１４を設け、該ブラシ１４はカッター軸１１１に延ばす刷毛１４１を設ける。使用するとき、ハウジング１２に備える紙吐き出し口１２１のまわりに、滑り溝１２２を設け、ブラシ１２２全体は滑り溝１２２に取り付けた後、カッター軸１１１の軸方向に沿って往復に摺動する。これらの構成要素により、利用者はブラシ１４をかき分けて、２本のカッター軸１１１の間に挟また紙切れ２を適時に清掃する。ブラシ１４はカッター軸１１１に延ばす刷毛を設け、ブラシ１４全体はカッター軸１１１に沿って軸方向に往復摺動することにより、利用者はブラシ１４をかき分けて、刷毛によって２本のカッター軸１１１の間に挟まれた紙切れを清掃し、公知技術のシュレッダーの２本のカッター軸１１１の間に挟また紙切れが清掃難しいため、書類寸断操作が順調に行えない悩みを有効に解消する。
【００１２】
利用者はブラシ１４をかき分けて紙切れ２を清掃するため、使用の便利性が大きいほか、カッター軸１１１のカッターによって、怪我の恐れがない。紙切れ２清掃の安全性を大幅に向上する。さらに、図１に示すとおり、シュレッダー１の本体は紙屑籠１３上部回りに、向かい合わせて二つの切欠き１３１を設け、ハウジング１２の両側にも合せて、切欠き１３１をまたがるフランジ１２３を設け、シュレッダー１はハウジング１２の前裾部および両側のフランジ１２３によって、紙屑籠１３の上部回りに接触することにより、ハウジング１１とカッターアセンブリ１１を紙屑籠１３にまたがって設ける。さらに、ハウジング１２の前裾部に指を入れるノッチ１２４を設けて、利用者はハウジング１２を上にひっくり返して、ハウジング１２下部のブラシ１４を露出させ、紙切れ２清掃の便利性を向上する。
【図面の簡単な説明】
【００１３】
【図１】本考案のシュレッダーに備えるハウジング底部外面の立体概略図である。
【図２】本考案によるブラシの配置構造断面図である。
【図３】本考案のブラシの動作概略図である。
【符号の説明】
【００１４】
１  シュレッダー
１１  カッターアセンブリ
１１１  カッター軸
１２  ハウジング
１２１  紙吐き出し口
１２２  滑りレール
１２３  フランジ
１２４  ノッチ
１３  紙屑籠
１３１  切欠き
１４  ブラシ
１４１  刷毛
２  紙切れ
【図１】
0003125892.tif 000003
【図２】
0003125892.tif 000004
【図３】
0003125892.tif 000005